(57)【要約】【課題】部品点数の削減に伴う工数及びコストの増大が防止できるランプ装置の取付構造を提供する。【解決手段】フック２３と本体２０Ａの一端側の外縁部２１１との間の隙間、ブラケット２４に装着された機能部３０の下面３６と本体２０Ａの他端側の外縁部２１１との間の隙間によって、それぞれ、開口部Ｒ１の一端側内縁部及び他端側内縁部を挟持させることで、ランプ装置１０を内装材Ｒに組み付けるように構成した。【選択図】図２
2010143444.tif 000002
【特許請求の範囲】
【請求項１】
略薄板状の本体を有し、ランプからの光を外部へ出射する窓が該本体に設けられた意匠部と、前記ランプを有し、前記意匠部に組付け可能な機能部と、を備えるランプ装置を、内装材の略矩形状の開口部に取付けるためのランプ装置の取付構造であって、
前記意匠部は、前記本体の一端側の外縁部付近に、該意匠部に前記機能部を取り付ける際の該機能部に向かって突出するよう形成されたフックと、前記機能部を該意匠部に組みつけるために前記本体の他端側に立設されたブラケットと、を有し、
前記フックと前記本体の一端側の外縁部との間の隙間、及び前記ブラケットに装着された前記機能部の下面と前記本体の他端側の外縁部との間の隙間によって、それぞれ、前記開口部の一端側内縁部及び他端側内縁部を挟持させることで、前記ランプ装置を内装材に組み付けるように構成した、
ことを特徴とするランプ装置の取付構造。
【請求項２】
前記機能部の側面には、係合突起が形成され、
前記ブラケットには、該ブラケットに前記機能部を取り付けた際の前記係合突起に臨む箇所に、該係合突起と係合する嵌合孔が形成され、
前記機能部の前記係合突起が前記ブラケットの前記嵌合孔に係合することによって、前記意匠部に前記機能部が取り付けられる
ことを特徴とする請求項１に記載のランプ装置の取付構造。
【請求項３】
前記機能部の側面には、係合突起が形成され、
前記ブラケットには、前記係合突起が係合する係合孔と外部との間を連通して切り欠いたガイド溝が形成され、
前記機能部の前記係合突起が前記ガイド溝によって案内され、前記ガイド溝より幅が広い前記係合孔に係合することによって、前記意匠部に前記機能部が取り付けられる、
ことを特徴とする請求項１に記載のランプ装置の取付構造。
【発明の詳細な説明】
【技術分野】
【０００１】
本発明は、車両用の室内照明灯やバニティランプ（以下、ランプ装置とよぶ）に適用するのに好適なランプ装置の取付構造に係り、特に製造コストの削減などを図ることができるランプ装置の取付構造に関する。
【背景技術】
【０００２】
車両には、一般に、逆光を避けるためにフロントガラス近傍の天井部分などにサンバイザが設置されている。また、このサンバイザには、ルームミラーとは別に小型のミラーが付設されているものも知られている。このようなミラーを付設したサンバイザでは、夜間などのように、車内が暗い場合でも使用できるようにするため、天井中央部付近のドームランプとは別に、サンバイザ設置部分の近傍などに照明灯を設けてあるものがある。
【０００３】
このような照明灯としては、例えば特許文献１に記載のものが知られている。
即ち、図９に示すように、この照明灯１００は、（車両の天井部分の開口部分に取付けてある）天井トリム２００の開口縁部２０１に取付け可能なベゼル１０１及びこのベゼル１０１に固定させたレンズ１０２を備える意匠部１００Ａと、この意匠部１００Ａに支持されて天井トリム２００の裏面側に配置される本体部１０３及びこの本体部１０３に取付けた光源用のランプ（バルブ）１０４を備える機能部１００Ｂと、を有している。
【０００４】
また、意匠部１００Ａには、開口縁部２０１に係止可能なクリップ１０５をベゼル１０１に設けている。一方、機能部１００Ｂには、本体部１０３を、開口縁部２０１から天井トリム２００の裏面に沿って突出するような状態で設けている。なお、図中符号１０６は、電線（或はワイヤーハーネスなど）ＷＨを固定保持する電線用のクリップを示す。
【特許文献１】特開２００５−７５２１９号公報
【発明の開示】
【発明が解決しようとする課題】
【０００５】
ところが、このような構成の照明灯１００にあっては、意匠部のベゼル１０１とレンズ１０２とが別部品となっており、レンズ１０２をベゼル１０１に組み付けて一体に固定させる構造であるので、部品点数が増大し、ランプ装置自体の組立て工数が増大するとともにコストの増大ももたらしている。
【０００６】
本発明は、上述した事情に鑑みてなされたものであり、その目的は、部品点数を削減することにより工数及びコストの増大を回避できるようにしたランプ装置の取付構造を提供することである。
【課題を解決するための手段】
【０００７】
前述した目的を達成するために、本発明に係るランプ装置の取付構造は、下記（１）から（３）を特徴としている。
（１）  略薄板状の本体を有し、ランプからの光を外部へ出射する窓が該本体に設けられた意匠部と、前記ランプを有し、前記意匠部に組み付け可能な機能部と、を備えるランプ装置を、内装材の略矩形状の開口部に取付けるためのランプ装置の取付構造であって、
前記意匠部は、前記本体の一端側の外縁部付近に、該意匠部に前記機能部を取り付ける際の該機能部に向かって突出するよう形成されたフックと、前記機能部を該意匠部に組みつけるために前記本体の他端側に立設されたブラケットと、を有し、
前記フックと前記本体の一端側の外縁部との間の隙間、及び前記ブラケットに装着された前記機能部の下面と前記本体の他端側の外縁部との間の隙間によって、それぞれ、前記開口部の一端側内縁部及び他端側内縁部を挟持させることで、前記ランプ装置を内装材に組み付けるように構成した、
こと。
（２）  上記（１）の構成のランプ装置の取付構造であって、
前記機能部の側面には、係合突起が形成され、
前記ブラケットには、該ブラケットに前記機能部を取り付けた際の前記係合突起に臨む箇所に、該係合突起と係合する嵌合孔が形成され、
前記機能部の前記係合突起が前記ブラケットの前記嵌合孔に係合することによって、前記意匠部に前記機能部が取り付けられること。
（３）  上記（１）の構成のランプ装置の取付構造であって、
前記機能部の側面には、係合突起が形成され、
前記ブラケットには、前記係合突起が係合する係合孔と外部との間を連通して切り欠いたガイド溝が形成され、
前記機能部の前記係合突起が前記ガイド溝によって案内され、前記ガイド溝より幅が広い前記係合孔に係合することによって、前記意匠部に前記機能部が取り付けられる、
ことを特徴とする請求項１に記載のランプ装置の取付構造。
【０００８】
上記（１）の構成のランプ装置の取付構造によれば、従来のような別部品としてのベゼルとレンズとをわざわざ一体に組み付ける必要がないので、部品点数の削減に伴う工数及びコストの増大が回避できる。より詳細には、意匠部に装着後の機能部の下面と該意匠部の外縁部との間の隙間によって前記開口部の一端側内縁部を挟持させることで、ランプ装置を内装材に組み付けるために意匠部にわざわざ別の部品を使用せずに済み、さらに部品点数の削減を図ることができる。その結果、さらに部品点数の削減に伴う工数及びコストの増大が防止できる。
上記（２）の構成のランプ装置の取付構造によれば、機能部を意匠部に着脱可能とするロック手段として係合突起と嵌合孔とを用いるだけなので、簡易な構造のもので構成でき、さらに、部品点数の削減を図ることができる。
上記（３）の構成のランプ装置の取付構造によれば、係合突起と嵌合孔とガイド溝とを用いた簡易な構造のもので構成できるので、さらに、部品点数の削減を図ることができる。しかも、機能部の両側面に一対設けた係合突起を、ブラケットに設けた、前記係合突起が出入可能な係合孔へガイド溝に案内させながら係合させていくことで、係合ロック作業がスムースに行える。
【発明の効果】
【０００９】
本発明のランプ装置の取付構造によれば、従来のような別部品としてのベゼルとレンズとをわざわざ一体に組み付ける必要がないので、部品点数の削減に伴う工数及びコストの増大が回避できる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を添付図面に基づいて詳細に説明する。
（第１の実施形態）
図１及び図２は本発明の第１の実施形態に係るランプ装置の取付構造を天井側の内装材Ｒ（内装部を構成する）に適用したバニティランプ１０（本発明のランプ装置を構成する）を示すものである。このバニティランプ１０は、概略構成として、意匠部２０と、機能部３０と、を備えており、詳細は後述するが、内装材Ｒの開口部Ｒ１の内周縁部に取付けたルーフトリムＴに対して簡易な構造のもので組み付けが可能となっている。なお、ここで、図中符号ＷＨは電線（ワイヤーハーネス）を示す。
【００１２】
ルーフトリムＴは、図２に示すように、天井部分の内装材Ｒの開口部Ｒ１の縁部に嵌合させるため、厚さ方向に２層に分岐させて溝Ｔ０を形成した外周縁部Ｔ１を有している。また、このルーフトリムＴは、略矩形状を有するものであって、開口部である内縁部の両端部、即ち一端側（前側）及び他端側（後側）に、天井部分の内装材Ｒの奥部に向けて突出する突部Ｔ２を設けてある。
【００１３】
このようにルーフトリムＴを構成することで、後述する意匠部２０の第１係止部２３及び機能部３０の第２係止部３６と、意匠部２０の外周縁部２１１との間にそれぞれ形成する隙間を利用して、ルーフトリムＴの突部Ｔ２に挟持させ、バニティランプ１０を組み付けることができる。また、このルーフトリムＴは、少なくとも突部Ｔ２にはある程度の柔軟性や可撓性を付与して、バニティランプ１０の組み付け操作を容易に行わせることが好ましい。
【００１４】
意匠部２０は、本体２０Ａが適宜の樹脂材料で略薄板矩形状に形成されており、この本体２０Ａ部分で、車両の内装部（内装材Ｒ）の開口部Ｒ１に取付けたルーフトリムＴ（図２参照）の開口部を塞ぐようになっている。また、この本体２０Ａの形状については、本実施形態の形状以外に、例えば台形、五角形など各種形状が適用可能である。
【００１５】
この意匠部２０は、本体２０Ａに、図３、４に示すように、外周縁部側に沿って低く起立（低背化）させた枠状部（従来のベゼルに相当する部分）２１と、本体の中央部側に設けた透明（又は半透明）レンズを構成する出射用の窓部２２と、を備えており、これらを前述した適宜の樹脂材料で一体に形成している。
【００１６】
さらに、この意匠部２０には、本体２０Ａの一端側（以下、前側）の外縁部近傍に第１係止部２３を立設させているとともに、他端側（以下、後側）の外縁部寄りにブラケット２４を一対立設させているが、何れも高さを抑え低背化させた形状である。
【００１７】
これら第１係止部２３およびブラケット２４は、いずれも意匠部２０の本体２０Ａに対して一体成形させるのが好ましい。なお、第１係止部２３は、従来の形状に比べて簡易な形状を有するフック２３で構成されており、意匠部２０の本体に対して樹脂による一体成形が可能となっているが、第１係止部２３の一体成形が困難であれば別体に形成して固着或は嵌合させるなどの方法で一体化させてもよい。一方、本実施形態のブラケット２４には、リブ状の突起２４１、２４２を外面側に形成しているが、それでも第１係止部２３に比べてブラケット２４の形状は簡易であるので、意匠部２０の本体２０Ａに対してブラケット２４を樹脂で一体成形することが容易である。
【００１８】
枠状部２１を外側から囲設する外周縁部２１１（これを掛止部２１１とよぶことがある）は、バニティランプ１０をルーフトリムＴに対して装着させる際に、例えば装着作業を行うときに、この掛止部２１１に指を掛止させることで枠状部２１をしっかりと把持して、バニティランプ１０を確実かつ容易に装着できる。即ち、この掛止部２１１は、薄肉形状のもので構成しているので、指先や爪などで容易に把持できる。
【００１９】
第１係止部２３は、図２に示すように断面逆Ｌ字形に形成されて上部先端が意匠部２０の本体２０Ａの前側の外縁部から突出し、ルーフトリムＴの突部Ｔ２に上側から係止するようになっており、意匠部２０の本体２０Ａの掛止部２１１（又は枠状部２１でもよい）による下側からの係止動作と協働してルーフトリムＴの突部Ｔ２及びその近傍を上下方向から挟持させる。なお、第１係止部２３は、特に可撓性或は弾性を有する構造とすることは必要ないが、可撓性或は弾性を有する構造であってもよい。
【００２０】
ブラケット２４は、図３、４に示すように、意匠部２０の本体２０Ａの面方向（図６中β方向で示す。）に対してこれに垂直な厚さ（同図中α方向で示す。）方向に直立した一対の壁面で構成されている。このブラケット２４には、意匠部２０の本体２０Ａの面（β）方向又は厚さ（α）方向のいずれの方向からでも押込んで嵌合させることができる、ロック手段４０の一部を構成する嵌合孔４２を有する。また、本実施形態のブラケット２４には、リブ状の突起２４１、２４２を外面側に形成している。
【００２１】
ロック手段４０は、意匠部２０に対して機能部３０を一体に組み付けるためのものであり、機能部３０の本体３１の両側面に一対設けた後述する係合突起４１と、意匠部２０の本体２０Ａの後側の外縁部寄りに一対立設させたブラケット２４に設けた、係合突起４１が出入可能な前述の略矩形状の嵌合孔４２と、を備えている。
【００２２】
一方、機能部３０は、この機能部３０の本体３１と、この本体３１の前端部３１Ａ側に設けた光源であるランプＬ（又はバルブ）を取付けるためのソケット３２（図２参照）と、本体３１の両側面に設けた前述の係合突起４１と、本体３１の後端部側に突出させて設けた電線の固定収容部３４と、天井裏側に配設させた電線ＷＨとソケット３２側の口金との電気的な接続を図る図示外の接続部３５（図２参照）と、第２係止部３６と、を備えている。
【００２３】
ソケット３２は、ランプＬを装着させる、図示外の導電性金属で形成した前述の口金などを設けており、この口金が図示外の天井裏に配設された電線（ワイヤハーネスＷＨ）の一端部と接続部３５で電気的に接続され、図示外のバッテリからランプＬへ給電される。なお、このソケット３２側と接続させる電線ＷＨは、バニティランプ１０を天井裏側から外側に引き出して接続作業を行うときの作業性を配慮して、所定範囲でバニティランプ１０と一緒に連れ回すことなどを許容するため、図示外の余長部を設けてある。
【００２４】
固定収容部３４は、前述の電線ＷＨの余長を収容する断面略前Ｕ字形状の溝を有するとともに、この溝内には電線ＷＨの余長部などを収容して固定するためにコードクリップ３３を突設している。
【００２５】
本実施形態の接続部３５は、図２に示すように、機能部３０の電線ＷＨを挿通させている蓋３５２と床面との間の接続室３５１において、床面から垂直に立ち上がった接続用の導電性の刃３５３を設け、蓋３５２と床で挟み込むようにして、刃３５３で電線ＷＨに切り込んでその電線ＷＨとソケット３２側の口金との電気的な接続を行う。なお、このような電線ＷＨとソケット３２側の口金との電気的な接続手段については、特に本実施形態のような構成に限定されるものではない。
【００２６】
第２係止部３６は、意匠部２０に取付けた後の機能部３０において、バニティランプ１０を設けてある前側端部とは反対の、後側端部の下面３０Ａ（図２参照）で構成されており、バニティランプ１０をルーフトリムＴに組み付ける際に、機能部３０の後側下面３０Ａを内装材Ｒ（内装部）に係止させる。特に本実施形態の第２係止部３６は、意匠部２０の本体２０Ａの掛止部２１１（又は枠状部２１でもよい）による下側からの係止動作と協働して、ルーフトリムＴの突部Ｔ２を上下方向から挟持させている。
【００２７】
従って、本実施形態によれば、従来は別部品で構成されていた、意匠部２０を構成するレンズ部及びベゼルに相当する部分を一体化させたもので構成しているので、部品点数の削減によるコストの削減、組み立て工数の削減は勿論のこと、部品単体化による低背化が容易かつ可能になるとともに、部品検査の簡素化が可能になる。また、本実施形態の第１係止部２３は、従来のクリップに比べて形状が簡素化されたフックで構成しているので、開放形状となる分、製品の軽量化、放熱性能の向上を図ることも可能である。
【００２８】
さらに、本実施形態によれば、意匠部２０の第１係止部２３と前側の外縁部２１１との間の隙間、及び意匠部２０に装着後の機能部３０の第２係止部３６と意匠部２０の後方側の外縁部２１１との間の隙間によって、内装部（内装材Ｒ）の開口部Ｒ１に取付けたルーフトリムＴの突部Ｔ２を、それぞれ挟持させることができる。つまり、簡易な構成で、ランプ装置であるバニティランプ１０を内装部（内装材Ｒ）に組み付けることができるわけである。
【００２９】
次に、本実施形態に係るランプ装置であるバニティランプ１０を天井部分に設けたルーフトリムＴへ装着させる操作について、図２を参照しながら説明する。
【００３０】
まず初めに、バニティランプ１０について、意匠部２０に機能部３０を組み付けておく。即ち、図６（Ａ）に示すように、意匠部２０のブラケット２４に設けたロック手段４０の一部を構成する嵌合孔４２に向けて、機能部３０の本体３１に設けたロック手段４０の一部を構成する係合突起４１を嵌入させる。これにより、同図（Ｂ）に示すように、意匠部２０に機能部３０をロックさせて一体化させておく。
【００３１】
また、機能部３０については、予め天井裏側に配線させてあった電線ＷＨと機能部３０との間の電気的な接続、つまり電線ＷＨとランプＬ（又はバルブ）のソケット３２との接続を、機能部３０に設けた接続部３５により、バニティランプ１０のルーフトリムＴへの組み付けに先立ち予め行っておくのが好ましい。
【００３２】
このようにして、予め、電線ＷＨとの接続が完了した機能部３０を意匠部２０に組み付けたバニティランプ１０（図６（Ｂ）参照）を用い、天井部分に設けたルーフトリムＴの開口部分の直下に配置させる。
【００３３】
次に、図６に示すように、機能部３０の方が天井部分に接近するような、バニティランプ１０の後方を上方に向けた姿勢を保持させて、初めに後方側の機能部３０がルーフトリムＴの開口部をくぐり抜けるように、天井部分の奥部方向にバニティランプ１０を差し入れる。
【００３４】
その後、意匠部２０の前方側の第１係止部２３もルーフトリムＴの開口部をくぐり抜けるように差し入れ、内装部（内装材Ｒ）の開口部Ｒ１の奥部まで挿入する。
【００３５】
このようにして、バニティランプ１０を天井裏まで挿入させたならば、次に、バニティランプ１０の意匠部２０の外周縁部である掛止部２１１の両側を手で把持し、バニティランプ１０を手元側（車両の床側）に向けて引き出すようにする。これにより、図２に示すように、第１係止部２３、及び第２係止部３６と、バニティランプ１０のそれぞれ第１係止部２３及び第２係止部３６近傍の掛止部２１１との間の隙間で、ルーフトリムＴの開口部の突部Ｔ２の間を挟持させて組み付ける。
【００３６】
この場合、ルーフトリムＴの開口部の突部Ｔ２がある程度の柔軟性又は可撓性を有するものの場合には、突部Ｔ２を少し押し広げるようにして、バニティランプ１０の掛止部２１１を引き出すようにすればよい。ところが、そのような構成となっていない場合には、天井部分に内装部（内装材Ｒ）を取付ける前に、事前に、内装部Ｒにバニティランプ１０を組み付けておくようにすればよい。また、その場合には、電線ＷＨも、機能部３０と電気的に接続させておくようにしておけば、現場での作業が容易である。
【００３７】
なお、ここで、組み付け状態を安定化させるために、例えばバニティランプ１０の掛止部２１１の裏面（上面）などに両面テープを貼付させ２次的な固定処理を行っておくことで、ルーフトリムＴに対する組み付け状態がより安定化し、ルーフトリムＴからバニティランプ１０が不用意に脱落することなども防止できる。
【００３８】
（第２の実施形態）
次に、本発明の第２の実施形態について、図７及び図８を参照しながら詳細に説明する。なお、本実施形態において、第１の実施形態と同一部分には同一符号を付して重複説明を避ける。
【００３９】
図７及び図８は、本発明の第２の実施形態に係るランプ装置の取付構造を天井側の内装材Ｒ（内装部を構成する）に適用したバニティランプ５０（本発明のランプ装置を構成する）を示すものである。
【００４０】
このバニティランプ５０が第１の実施形態のものと異なる点は、意匠部２０の本体２０Ｂでの従来のベゼルに相当する外縁部よりも、レンズ部分に対応する中央部が上方へ突出しており、外面（底面）側から見たときに窪んだ形状に形成されているが、第１の実施形態と同様、適宜の樹脂材料により外縁部と中央部とは一体成形されている。
【００４１】
また、このバニティランプ５０では、意匠部２０に設けたブラケット２５の形状と、意匠部２０と機能部３０とを組み付けるロック手段４０の構成が異なる。
【００４２】
このうち、ブラケット２５については、第１の実施形態のブラケット２５のようなリブ状の突起を持たない簡易な構成となっているが、下方側にベース部２５１を設けており、安定した姿勢を確保してある。なお、このブラケット２５については、意匠部２０の本体２０Ｂと一体で樹脂成形するのが好ましいが、この一体成形が困難であれば別体で形成して本体２０Ｂに組み付けたり固着させてもよい。
【００４３】
一方、ロック手段４０は、機能部の両側面に一対設けた略円形状の係合突起４３及びこれに連なる方形突部４４と、意匠部２０に一対立設させたブラケット２５に設けた、係合突起４３が出入可能な略円形状の係合孔４５及びこの係合孔４５と外部との間を連通させる意匠部２０の面方向に平行に切り欠いたガイド溝４６と、を備える。なお、係合突起４３および係合孔４５の形状は円形に限るものではなく、矩形、多角形、楕円等の形状を適用可能であり、要は係合する形状であればよい。
【００４４】
さらに、このバニティランプ５０では、第１の実施形態の接続部３５と異なり、接続部３７を第１の実施形態の固定収容部３４に対応する部分に設置けており、ここにはコードクリップ３３の替わりに導電性の刃３８を設けた。この刃３８は、接続部３７の壁面から垂直に立ち上がっており、左右の隙間に挟み込むようにして、刃３８で電線ＷＨに切り込んでその電線ＷＨとソケット３２側の口金との電気的な接続を行う。
【００４５】
本実施形態によれば、第１の実施形態と異なり、図８に示すように、意匠部２０の本体２０Ｂ上面に沿ってβ方向にスライドさせることにより、機能部３０を意匠部２０にスムースに組み付けて一体に固定させることができる。なお、バニティランプ１０を天井部分に設けたルーフトリムＴへ装着させる組み付け作業については、第１の実施形態と同じである。
【００４６】
従って、本実施形態でも、従来は別部品で構成されていた意匠部２０を構成するレンズ及びベゼルに相当する部分を一体化させたもので構成しているので、部品点数の削減によるコストの削減、組み立て工数の削減は勿論のこと、部品単体化による低背化が容易かつ可能になるとともに、部品検査の簡素化が可能になる。また、製品の軽量化、放熱性能の向上を図ることも可能である。
【００４７】
さらに、本実施形態によれば、第１の実施形態と同様、簡易な構成で、ランプ装置であるバニティランプ１０を内装部（内装材Ｒ）に組み付けることができる。
【００４８】
なお、本発明は上述した実施形態に何ら限定されるものではなく、その要旨を逸脱しない範囲において種々の形態で実施し得るものである。例えば、本実施形態のバニティランプ１０は、天井側に設置しているが特にこの天井に限定されるものではなく、例えば壁面または床面などに取付けてもよい。
【図面の簡単な説明】
【００４９】
【図１】本発明の第１の実施形態に係る取付構造を適用させたバニティランプを示す平面図である。
【図２】図１のＩＩ−ＩＩ線断面図である。
【図３】（Ａ）および（Ｂ）はそのバニティランプの意匠部を示す構成図及び平面図である。
【図４】（Ａ）はそのバニティランプの意匠部の側面図、（Ｂ）はその正面図である。
【図５】そのバニティランプの機能部を示す斜視図である。
【図６】（Ａ）はそのバニティランプの意匠部に機能部を組み付ける前の状態を示す説明図、（Ｂ）はその意匠部に機能部を組み付けた後の状態を示す説明図である。
【図７】（Ａ）は本発明の第２の実施形態に係る取付構造を適用させるバニティランプの意匠部に機能部を組み付ける前の状態を示す説明図、（Ｂ）はその意匠部に機能部を組み付けた後の状態を示す説明図である。
【図８】そのバニティランプの意匠部に機能部を組み付ける途中の状態を示す側面図、（Ｂ）はその意匠部に機能部を組み付けた後の状態を示す側面図である。
【図９】従来の取付構造に適用させる照明灯を示す構成図である。
【符号の説明】
【００５０】
１０  バニティランプ（ランプ装置）
２０  意匠部
２０Ａ、２０Ｂ  （意匠部の）本体部
２１  枠状部
２１１  掛止部（外周縁部）
２２  窓部（レンズ）
２３  第１係止部
２４，２５  ブラケット
３０  機能部
３０Ａ  下面
３１  本体
３２  ソケット
３３  コードクリップ
３４  固定収容部
３５，３７  接続部
３５３，３８  （導電性）刃
３６  第２係止部（下面）
４０  ロック手段
４１、４３  係合突起
４２  嵌合孔
４４  方形突部
４５  係合孔
４６  ガイド溝
Ｒ  天井側の内装材（内装部）
Ｒ１  開口部
Ｔ  ルーフトリム
Ｔ０  溝
Ｔ１  外周縁部
Ｔ２  突部
ＷＨ  電線
β  （意匠部の）本体部の面方向
【図１】
2010143444.tif 000003
【図２】
2010143444.tif 000004
【図３】
2010143444.tif 000005
【図４】
2010143444.tif 000006
【図５】
2010143444.tif 000007
【図６】
2010143444.tif 000008
【図７】
2010143444.tif 000009
【図８】
2010143444.tif 000010
【図９】
2010143444.tif 000011